(57)【要約】      （修正有）【課題】息詰まりを避けることができ、より快適であるとともに、立体的なカップ状マスクに比べ、コストが安く、携帯及び収納しやすいマスクを提供する。【解決手段】マスクは、ノーズピース領域１１と、呼吸領域１２と、第１のエンボス群１３と、第２のエンボス群１４とを含むマスク本体１０を備え、ノーズピース領域が呼吸領域の上方に位置し、第１と第２のエンボス群が呼吸領域の両側にそれぞれ設置され、第１と第２のエンボス群におけるエンボス線がいずれも弧状曲線である。マスクが付けられて展開された時に、呼吸領域は第１と第２のエンボス群に従って折曲変形し、三次元の立体的な呼吸空間を展開して形成し、口と鼻の収容空間を増加する。【選択図】図１
0003228162.tif 000002
【実用新案登録請求の範囲】
【請求項１】
ノーズピース領域（１１）と、呼吸領域（１２）と、第１のエンボス群（１３）と、第２のエンボス群（１４）とを含むマスク本体（１０）を備え、
前記ノーズピース領域（１１）が前記呼吸領域（１２）の上方に位置し、前記第１のエンボス群（１３）と前記第２のエンボス群（１４）が前記呼吸領域（１２）の両側にそれぞれ設置され、前記第１のエンボス群（１３）と第２のエンボス群（１４）におけるエンボス線（１５）がいずれも弧状曲線であることを特徴とするマスク（１００）。
【請求項２】
前記第１のエンボス群（１３）と第２のエンボス群（１４）の数はそれぞれ２つであり、        
２つの第１のエンボス群（１３）が相互に鏡像であり、２つの前記第２のエンボス群（１４）が相互に鏡像であり、１つの前記第１のエンボス群（１３）と１つの前記第２のエンボス群（１４）が相互に鏡像であることを特徴とする請求項１に記載のマスク（１００）。
【請求項３】
前記第１のエンボス群（１３）と前記第２のエンボス群（１４）はいずれも放射状に配列される少なくとも３本のエンボス線（１５）を含むことを特徴とする請求項１又は２に記載のマスク（１００）。
【請求項４】
前記第１のエンボス群と前記第２のエンボス群における前記少なくとも３本のエンボス線（１５）の曲げ弧度は異なるであることを特徴とする請求項３に記載のマスク（１００）。
【請求項５】
前記第１のエンボス群と前記第２のエンボス群における前記少なくとも３本のエンボス線（１５）の曲げ弧度は、前記呼吸領域（１２）の最も外側から内側方向へ徐々に小さくなることを特徴とする請求項４に記載のマスク（１００）。
【請求項６】
それぞれの前記エンボス線（１５）に弧口（１５１）が設置されるとともに、それぞれの前記エンボス線（１５）の弧口（１５１）がいずれも前記エンボス線（１５）の中部に位置することを特徴とする請求項３〜５のいずれか１項に記載のマスク（１００）。
【請求項７】
前記エンボス線（１５）は破線状を呈することを特徴とする請求項３〜５のいずれか１項に記載のマスク（１００）。
【請求項８】
前記エンボス線（１５）は超音波溶融法で製造することにより得られることを特徴とする請求項３〜５のいずれか１項に記載のマスク（１００）。
【請求項９】
前記第１のエンボス群と前記第２のエンボス群における少なくとも３本のエンボス線（１５）の弧口（１５１）は、前記呼吸領域（１２）の内側に向かうことを特徴とする請求項３〜５のいずれか１項に記載のマスク（１００）。
【請求項１０】
前記第１のエンボス群と前記第２のエンボス群における前記少なくとも３本のエンボス線（１５）の収束側は、前記呼吸領域（１２）の中部に位置することを特徴とする請求項３〜５のいずれか１項に記載のマスク（１００）。
【考案の詳細な説明】
【技術分野】
【０００１】
本考案は日常防護用品に関し、特にマスクに関する。
【背景技術】
【０００２】
社会の急速な発展に伴い、大気汚染がますます深刻になり、大気には異なる汚染物質があり、例えば花粉、塵埃、浮遊粒子（ＰＭ２．５）などが挙げられる。大気における汚染物質を遮断するためにマスクが用いられ、マスクは鼻と口を遮ることにより、汚染物質が人体に入ることを効果的に防止でき、日常防護に幅広く応用され、徐々に人々の生活必需品となっている。
【０００３】
本考案の発明者は本考案の実施形態を実現する間に、今までのマスクは呼吸領域が平らで狭く、息苦しくなりやすいことを発見した。
【考案の概要】
【考案が解決しようとする課題】
【０００４】
本考案は立体的で十分な呼吸領域を有し、息詰まりを避け、より快適であるとともに、コストが安く、携帯及び収納しやすいマスクを提供することを主な目的とする。
【課題を解決するための手段】
【０００５】
上記の課題を解決するために、本考案は下記の技術方案を採用する。
ノーズピース領域と、呼吸領域と、第１のエンボス群と、第２のエンボス群とを含むマスク本体を備え、
前記ノーズピース領域が前記呼吸領域の上方に位置し、前記第１のエンボス群と前記第２のエンボス群が前記呼吸領域の両側にそれぞれ設置され、前記第１のエンボス群と第２のエンボス群におけるエンボス線がいずれも弧状曲線であるマスク。
【０００６】
いくつかの実施形態には、前記第１のエンボス群と第２のエンボス群の数はそれぞれ２つであり、        
２つの第１のエンボス群が相互に鏡像であり、２つの前記第２のエンボス群が相互に鏡像であり、１つの前記第１のエンボス群と１つの前記第２のエンボス群が相互に鏡像である。
【０００７】
いくつかの実施形態には、前記第１のエンボス群と前記第２のエンボス群はいずれも放射状に配列される少なくとも３本のエンボス線を含む。
【０００８】
いくつかの実施形態には、それぞれの前記エンボス群における前記少なくとも３本のエンボス線の曲げ弧度は異なる。
【０００９】
いくつかの実施形態には、それぞれの前記エンボス群における少なくとも３本のエンボス線の曲げ弧度は、前記呼吸領域の最も外側から内側方向へ徐々に小さくなる。
【００１０】
いくつかの実施形態には、それぞれの前記エンボス線に弧口が設置されるとともに、それぞれの前記エンボス線の弧口がいずれも前記エンボス線の中部に位置する。
【００１１】
いくつかの実施形態には、前記エンボス線は破線状を呈する。
【００１２】
いくつかの実施形態には、前記エンボス線は超音波溶融法で製造することにより得られる。
【００１３】
いくつかの実施形態には、それぞれの前記エンボス群における少なくとも３本のエンボス線の弧口は、前記呼吸領域の内側に向かう。
【００１４】
いくつかの実施形態には、それぞれの前記エンボス群における放射状に配列される少なくとも３本のエンボス線の収束側は、前記呼吸領域の中部に位置する。
【００１５】
本考案の実施形態は以下の有利な効果を有する。従来技術に比べ、本考案の実施形態はノーズピース領域と、呼吸領域と、第１のエンボス群と、第２のエンボス群とを含むマスク本体を備え、前記ノーズピース領域が前記呼吸領域の上方に位置し、前記第１のエンボス群と前記第２のエンボス群が前記呼吸領域の両側にそれぞれ設置され、前記第１のエンボス群と第２のエンボス群におけるエンボス線がいずれも弧状曲線であるマスクを提供する。マスクが付けられて展開された時に、前記呼吸領域は前記第１のエンボス群と第２のエンボス群に従って折曲変形し、三次元の立体的な呼吸空間を展開して形成し、口と鼻の収容空間を増加することができ、これによって息詰まりを避けることができ、より快適であるとともに、立体的なカップ状マスクに比べ、コストが安く、携帯及び収納しやすい。
【図面の簡単な説明】
【００１６】
対応する添付図面によって１つ又は複数の実施形態を例示的に説明するが、これらの例示的な説明によって実施形態を制限することはなく、添付図面において、同じ参照数字符号を有する素子は類似の素子を表し、特に説明しない限り、添付図面における図によってスケールが制限されることはない。
【図１】本考案の一実施形態により提供されるマスクの構造模式図。
【考案を実施するための形態】
【００１７】
以下、本考案を理解しやすくために、添付図面及び具体的な実施形態に基づいて本考案を更に詳細的に説明する。先に説明するが、素子がもう１つの素子「に固定される」と記述される場合、もう１つの素子に直接的に位置してもよいし、その間に１つ又は複数の中間素子が介在してもよい。１つの素子がもう１つの素子「に接続される」と記述される場合、もう１つの素子に直接的に接続されてもよいし、その間に１つ又は複数の中間素子が介在してもよい。本明細書に使用される「垂直に」、「水平に」、「左」、「右」という用語及び類似的な表記は、単に説明のためのものである。
【００１８】
特に定義しない限り、本明細書に使用される全ての技術と科学用語は、本考案の技術分野に属する当業者が通常に理解する意味と同じである。本明細書において、本考案の明細書に使用される用語は、本考案を制限することなく、単に具体的な実施形態を記述するためのものである。本明細書に使用される「及び／又は」という用語は、１つ又は複数の挙げられた関連する項目のいずれ及び全ての組み合わせを含む。
【００１９】
図１を参照し、前記マスク１００はマスク本体１０を含み、前記マスク本体１０には少なくとも１つのプリーツ（図示せず）が設置され、マスク１００を付ける時に、前記マスク本体１０を展開することができる。前記マスク本体１０は耳掛け紐や頭掛け紐（図示せず）に合わせ、ユーザの顔に固定されることができ、これによって、展開された後のマスク本体１０はユーザの口と鼻を遮ることに用いられ、汚染物質を効果的に遮断することができる。
【００２０】
ここで、前記マスク本体１０はノーズピース領域１１と、呼吸領域１２と、第１のエンボス群１３と、第２のエンボス群１４を含む。前記ノーズピース領域１１は前記呼吸領域１２の上方に位置し、前記ノーズピース領域１１が鼻筋に貼り付けられ、前記マスク本体１０の上部を鼻筋に固定すると同時に、密閉の役割を果たすためのものである。前記呼吸領域１２はユーザの口と鼻を覆い、ユーザにより吸入された大気を濾過するためのものである。前記第１のエンボス群１３と前記第２のエンボス群１４は前記呼吸領域１２の両側にそれぞれ設置され、前記第１のエンボス群１３と第２のエンボス群１４におけるエンボス線１５がいずれも弧状曲線であり、前記マスク本体１０を区画し、弧状曲線により前記呼吸領域１２を区分し、且つ弧状曲線は呼吸領域１２がカップ状に展開することに役立つ。
【００２１】
マスク１００が付けられて展開された時に、前記呼吸領域１２は前記第１のエンボス群１３と第２のエンボス群１４に従って折曲変形することができ、マスク本体１０におけるプリーツに合わせ、三次元の立体的な呼吸空間を展開して形成し、口と鼻の収容空間を増加することができ、これによって息詰まりを避けることができ、より快適であるとともに、立体的なカップ状マスク１００に比べ、コストが安く、携帯及び収納しやすい。
【００２２】
いくつかの実施形態には、前記第１のエンボス群１３と第２のエンボス群１４の数はそれぞれ２つであり、２つの第１のエンボス群１３が相互に鏡像であり、２つの前記第２のエンボス群１４が相互に鏡像であり、１つの前記第１のエンボス群１３と１つの前記第２のエンボス群１４が相互に鏡像である。複数のエンボス群によって、立体的な呼吸空間の構築がさらに柔軟且つ突出し、同時に呼吸空間の立体体積が増やし、呼吸空間がさらに拡大する。また、すべてのエンボス群はいずれも鏡像であり、呼吸領域１２の中心で対称し、楕円形を呈し、より立体的なカップ状の呼吸空間を構築することに役立つとともに、前記カップ状の呼吸空間をさらに均一し、人の顔の輪郭に合わせる。
【００２３】
いくつかの実施形態には、前記第１のエンボス群１３と前記第２のエンボス群１４はいずれも放射状に配列される少なくとも３本のエンボス線１５を含む。放射状に配列される少なくとも３本のエンボス線１５によって、立体的な呼吸空間が階層的なアーチ形状を呈し、十分に拡大するとともに、マスク１００の気密性と防護機能を増やすことができる。具体的には、最も外側のエンボス線１５の作用によって、マスク１００の両側のエッジが顔の輪郭の起伏に沿って顔に貼り付けることができ、これによってマスク１００の気密性を向上し、汚染物質がマスク１００の隙間から入ることを阻み、防護機能を効果的に強化することができる。また、内側に位置するエンボス線１５は順番に階段状の折り目を形成し、これによって、マスク本体１０が上から下に向かい、鼻筋の位置から頬骨を経て頬へ広げ、つぎに顎へ狭まることにより、前記呼吸領域１２の拡大程度を最大化する。
【００２４】
いくつかの実施形態には、それぞれの前記エンボス群における放射状に配列される少なくとも３本のエンボス線１５の収束側は、前記呼吸領域１２の中部に位置し、これによって前記呼吸領域１２の中部に近いエンボスピッチが小さく、可撓性が低く、展開された後のマスク１００の両側に対して支持点を与え、マスク１００が長時間に立体形状を維持することができる。
【００２５】
いくつかの実施形態には、それぞれの前記エンボス群における少なくとも３本のエンボス線１５の曲げ弧度は異なる。異なる弧度の曲線は放射状に配列されることにより、エンボス群全体の向きを効果的に制御することができ、これによって呼吸領域１２のアーチ形状を緩やかに変化させ、人の顔の輪郭に合わせる。それぞれの前記エンボス群における少なくとも３本のエンボス線１５の曲げ弧度は、前記呼吸領域１２の最も外側から内側方向へ徐々に小さくなることによって、呼吸領域１２のアーチ形状の勾配をエッジから中央へ徐々に増大させ、人の顔の構造に合わせ、鼻の空間を増加でき、鼻が押し付けられることにより息苦しくなることがないことが理解できる。
【００２６】
いくつかの実施形態には、それぞれの前記エンボス線１５に弧口１５１が設置されるとともに、それぞれの前記エンボス線１５の弧口１５１がいずれも前記エンボス線１５の中部に位置し、これによってエンボスが緩やかに対称し、展開された後のマスク本体１０の形状も緩やかに対称し、人の顔の構造に合う。いくつかの実施形態には、それぞれの前記エンボス群における少なくとも３本のエンボス線１５の弧口１５１は、前記呼吸領域１２の内側に向かうことが理解できる。これによって、弧口１５１で形成される曲線の支持点により呼吸領域１２のアーチ形状の深さを効果的に向上でき、これによりマスク１００の呼吸領域１２が三次元のカップ形状を呈し、呼吸領域１２がより立体的なものとなり、マスク１００の快適さをさらに増加させる。具体的には、それぞれのエンボス線１５によりマスク本体１０におけるプリーツの両側のエッジに弧状ロックエンボスが形成され、且つ各層のプリーツのエッジの弧状ロックエンボスが異なる弧度を有し、各層のプリーツの展開角度をロックすることによってその展開幅を制御し、マスク１００の突起の空間を中央位置に集中させ、且つ突起の深さを増加でき、効果的にマスク本体１０の中央のアーチ形状の效果を構築及び強化する。
【００２７】
いくつかの実施形態には、前記エンボス線１５は破線状を呈し、マスク本体１０を貼り付けて展開のためのエンボスを形成することができるだけではなく、エンボスに柔軟さを保持させ、屈曲しやすくすることができ、前記呼吸領域１２が大幅に折曲及び展開して立体形状を形成することに役立ち、これによって前記呼吸領域１２が顔を覆い、立体感を維持することを確保できる。いくつかの実施形態には、前記エンボス線１５は超音波溶融法で製造することにより得られ、製造技術が簡単で、生産効率が高いとともに、コストが安いことが理解できる。
【００２８】
本考案の明細書及びその添付図面には本考案の好ましい実施形態を記載したが、本考案は多くの異なる形態で実現でき、本明細書に記載された実施形態に制限されなく、これらの実施形態は本考案の内容に対する余分な制限としてのものではなく、本考案の開示内容に対する理解をより明らかにするために、これらの実施形態を提供した。また、上記各技術特徴を更に互いに組み合わせて形成された、以上に挙げられない各種の実施形態は、本考案の明細書に記載された範囲にあると視されるべきである。更に、本分野の一般の当業者にとっては、上記説明に基づいて改良又は変更することができるが、これらの改良と変更は、いずれも本考案に添付された請求項の保護範囲に属するべきである。
【符号の説明】
【００２９】
１０...マスク本体
１００...マスク
１１...ノーズピース領域
１２...呼吸領域
１３...第１のエンボス群
１４...第２のエンボス群
１５...エンボス線
１５１...弧口
【図１】
0003228162.tif 000003